【事件の表示】
　特許第２７８６２１２号「バックライト」の特許に対する特許異議の申立てについて、次のとおり決定する。
【結　論】
　訂正を認める。
　特許第２７８６２１２号の請求項１ないし３に係る特許を維持する。
【理　由】
〔１〕手続の経緯
　特許第2786212号に係る発明についての出願は、昭和63年11月14日に特許出願され、平成10年５月29日にその発明についての特許権の設定登録がなされ、その後、その特許について、異議申立人長谷川孝子、徳間功、斉藤忠により特許異議の申立てがなされ、取消理由通知がなされ、その指定期間内である平成11年８月23日に訂正請求がなされ、訂正拒絶理由通知がなされ、その指定期間内である平成11年12月24日に補正がなされたものである。
〔２〕訂正の適否についての判断
ア.訂正請求に対する補正の適否について
　特許権者は、
　1)訂正請求書の特許請求の範囲の請求項１の「直管形蛍光ランプと透明樹脂の導光体を有し、一の面から光を放出させるバックライトを有する液晶表示装置において、上記導光体の側面及び底面に上記蛍光ランプからの光が外面に漏れない処理を施し、かつ、上記導光体上面には拡散板を設置し、前記蛍光ランプが接触もしくは近接して置かれる部分の導光体の厚みｔと前記蛍光ランプの管径Ｄとの関係が、上記面から出る光量と上記蛍光ランプから出る光量の比である導光体効率が50％以上となるように1.2≦ｔ/Ｄ≦2.0としたことを特徴とする液晶表示装置。」を「直管形蛍光ランプと透明樹脂の導光体を有し、一の面から光を放出させるバックライトを有する液晶表示装置において、上記導光体の側面及び底面に上記蛍光ランプからの光が外面に漏れない処理を施し、かつ、上記導光体の上記一の面である上面には拡散板を設置し、前記蛍光ランプが接触もしくは近接して置かれる上記導光体側面部分の導光体の厚みｔと前記蛍光ランプの管径Ｄとの関係が、上記上面から出る光量と上記蛍光ランプから出る光量の比である導光体効率が50％以上となるように1.2≦ｔ/Ｄ≦2.0とし、上記厚みｔは、上記蛍光ランプを覆って設けられたランプ反射板の上記導光体上面および底面とに重ね合わされた両端部により挟まれた上記導光体側面部分の厚みであることを特徴とする液晶表示装置。」と補正し、
　2)訂正請求書の特許請求の範囲の請求項４を削除する補正をし、
  3)訂正明細書の第２頁第11〜17行の訂正事項「具体的には、直管形蛍光ランプと透明樹脂の導光体を有し、一の面から光を放出させるバックライトを有する液晶表示装置において、上記導光体の側面及び底面に上記蛍光ランプからの光が外面に漏れない処理を施し、かつ、上記導光体上面には拡散板を設置し、前記蛍光ランプが接触もしくは近接して置かれる部分の導光体の厚みｔと前記蛍光ランプの管径Ｄとの関係が、上記面から出る光量と上記蛍光ランプから出る光量の比である導光体効率が50％以上となるように1.2≦ｔ/Ｄ≦2.0とした。」を「具体的には、直管形蛍光ランプと透明樹脂の導光体を有し、一の面から光を放出させるバックライトを有する液晶表示装置において、上記導光体の側面及び底面に上記蛍光ランプからの光が外面に漏れない処理を施し、かつ、上記導光体の上記一の面である上面には拡散板を設置し、前記蛍光ランプが接触もしくは近接して置かれる上記導光体側面部分の導光体の厚みｔと前記蛍光ランプの管径Ｄとの関係が、上記上面から出る光量と上記蛍光ランプから出る光量の比である導光体効率が50％以上となるように1.2≦ｔ/Ｄ≦2.0とし、上記厚みｔは、上記蛍光ランプを覆って設けられたランプ反射板の上記導光体上面および底面とに重ね合わされた両端部により挟まれた上記導光体側面部分の厚みとした。」と補正するものであり、当該訂正請求に対する補正は、訂正請求書の要旨を変更するものでなく、特許法第120条の４第３項において準用する同法第131条第２項の規定に適合する。
イ.訂正の内容
　特許権者が求めている訂正の内容は、以下の1)〜3)のとおりである。
　1)特許請求の範囲の請求項１に記載される「直管形蛍光ランプと透明樹脂の導光体を有し、一の面から光を放出させるバックライトを有する液晶表示装置において、前記蛍光ランプが接触もしくは近接して置かれる部分の導光体の厚みｔと前記蛍光ランプの管径Ｄとの関係が、上記面から出る光量と上記蛍光ランプから出る光量の比である導光体効率が50％以上となるように1.2≦ｔ/Ｄ≦2.0としたことを特徴とする液晶表示装置。」を「直管形蛍光ランプと透明樹脂の導光体を有し、一の面から光を放出させるバックライトを有する液晶表示装置において、上記導光体の側面及び底面に上記蛍光ランプからの光が外面に漏れない処理を施し、かつ、上記導光体の上記一の面である上面には拡散板を設置し、前記蛍光ランプが接触もしくは近接して置かれる上記導光体側面部分の導光体の厚みｔと前記蛍光ランプの管径Ｄとの関係が、上記上面から出る光量と上記蛍光ランプから出る光量の比である導光体効率が50％以上となるように1.2≦ｔ/Ｄ≦2.0とし、上記厚みｔは、上記蛍光ランプを覆って設けられたランプ反射板の上記導光体上面および底面とに重ね合わされた両端部により挟まれた上記導光体側面部分の厚みであることを特徴とする液晶表示装置。」と訂正する。
　2)特許請求の範囲の請求項４を削除する。
　3)発明の詳細な説明中の[課題を解決するための手段]の「・・・決定しなければならない。」を「・・・決定しなければならない。具体的には、直管形蛍光ランプと透明樹脂の導光体を有し、一の面から光を放出させるバックライトを有する液晶表示装置において、上記導光体の側面及び底面に上記蛍光ランプからの光が外面に漏れない処理を施し、かつ、上記導光体の上記一の面である上面には拡散板を設置し、前記蛍光ランプが接触もしくは近接して置かれる上記導光体側面部分の導光体の厚みｔと前記蛍光ランプの管径Ｄとの関係が、上記上面から出る光量と上記蛍光ランプから出る光量の比である導光体効率が50％以上となるように1.2≦ｔ/Ｄ≦2.0とし、上記厚みｔは、上記蛍光ランプを覆って設けられたランプ反射板の上記導光体上面および底面とに重ね合わされた両端部により挟まれた上記導光体側面部分の厚みとした。」と訂正する。
ウ.訂正の目的の適否、新規事項の有無及び拡張・変更の存否
　上記1)の訂正事項に関連する記載として、願書に添付した明細書（以下、「特許明細書」という。）の発明の詳細な説明には、「従来、導光体としてアクリル等の透明樹脂を用いて、白色塗装もしくはサンドペーパー等でランプ光導入部以外を処理して、平面化光源として使用するシステムは提案されており、これに関連するものとして例えば、実開昭60-12203号等が挙げられる。」（特許明細書第１頁第17行〜第２頁第２行）こと、「第１図は本発明のバックライトであり、(a)は平面図、(b)は断面図である。直管形蛍光ランプ１はアクリル導光体２の側面にあって、ランプの周囲には反射板３がアクリル２に固定されている。アクリル導光体の３側面及び底面にはアクリルに密着して白色塗装５が施されており、ランプより発せられた光はアクリル内に入り、白色塗装面で反射して、外部に漏れないようにし、アクリル上面には拡散板４（三菱レーヨン製、アクリライトＳ　＃422、透過率73％）を設置する。」（特許明細書第３頁第12行〜第４頁第１行）ことが、第１図とともに記載されていることから、上記訂正事項の追加事項である「・・・上記導光体の側面および底面に上記蛍光ランプからの光が外面に漏れない処理を施し、かつ、上記一の面である上面には拡散板を設置し、・・・上記導光体側面・・・、・・・上面・・・、上記厚みｔは、上記蛍光ランプを覆って設けられたランプ反射板の上記導光体上面及び底面とに重ね合わされた両端部により挟まれた上記導光体側面部分の厚みである・・・」点は、特許明細書に記載されているものと認める。
　そうすると、上記1)の訂正は、特許明細書に記載された事項の範囲内において液晶表示装置を限定したものといえるから、新規事項の追加に該当せず、特許請求の範囲の減縮に該当するものである。
　上記2)の訂正は、単に請求項を削除したものであるから特許請求の範囲の減縮に該当し、新規事項の追加に該当しない。
　上記3)の訂正は、上記1)の訂正における特許請求の範囲の減縮にともない、発明の詳細な説明の記載を整合するものであるから、明りょうでない記載の釈明に該当し、新規事項の追加に該当しない。
　そして、上記いずれの訂正も実質上特許請求の範囲を拡張し、又は変更するものでもない。
エ.独立特許要件
　1)特許法第29条に規定する要件について
　a)訂正明細書の請求項１〜３に係る発明
　平成11年12月24日付けで提出された訂正明細書の請求項１〜３に係る発明（以下、「本件請求項１に係る発明」等という。）は、その特許請求の範囲に記載された次のとおりのものである。
「【請求項１】直管形蛍光ランプと透明樹脂の導光体を有し、一の面から光を放出させるバックライトを有する液晶表示装置において、上記導光体の側面及び底面に上記蛍光ランプからの光が外面に漏れない処理を施し、かつ、上記導光体の上記一の面である上面には拡散板を設置し、前記蛍光ランプが接触もしくは近接して置かれる上記導光体側面部分の導光体の厚みｔと前記蛍光ランプの管径Ｄとの関係が、上記上面から出る光量と上記蛍光ランプから出る光量の比である導光体効率が50％以上となるように1.2≦ｔ/Ｄ≦2.0とし、上記厚みｔは、上記蛍光ランプを覆って設けられたランプ反射板の上記導光体上面および底面とに重ね合わされた両端部により挟まれた上記導光体側面部分の厚みであることを特徴とする液晶表示装置。
【請求項２】前記導光体はその断面形状がテーパ状であることを特徴とする請求項１記載の液晶表示装置。
【請求項３】前記導光体に接触または近接させて配置する前記蛍光ランプは１灯であることを特徴とする請求項１または２記載の液晶表示装置。」
　b)引用刊行物に記載の発明
　当審が通知した訂正拒絶理由で引用した刊行物１（特開昭63-208001号公報）には、「本発明は、光拡散器に関する。この種の光拡散器は光源からの光を受けて比較的広い面積にわたって均一に照明を行うための面光源として利用され、実用上は例えば、広告灯等の表示器の照明手段として、更に、特に最近では液晶表示装置の裏面照明手段として使用される。」（第２頁右上欄第13〜18行）こと、「本発明は蛍光灯等の線状光源からの光を、本発明に基づく屈折率と形状を有する光学的に透明な導光体に入射する事により、該導光体内を全反射しながら進行して行く各モードの光線を漸次出射側界面2aより出射、拡散させる事によって、結果として広い面積にわたって均一な出射光線モード密度を有する面上光源用途としての機能を有する光拡散用導光体を提供するものである。」（第３頁右下欄第９〜16行）こと、「蛍光灯12は市販されているもので十分であり、その直径Ｄは平面Ｐ５の高さｌ２に対して
　　　　　　1/2・l2＜Ｄ＜3/2・l2
程度に設定するのが拡散器の拡散光の輝度を均一化するため、また装置の設計上望ましい。」（第６頁左下欄第12〜16行）ことが、第１〜10図とともに記載されている。
　同じく刊行物２（特開昭63-62104号公報）には、「乱反射面が少なくとも一面に設けられた透明板を複数枚積層して形成した照明板の端面に光源を対向させた光源装置であって、この照明板における上記乱反射面は、光源と対向する端面から遠ざかるにつれてその濃度が高くなる乳白化処理にて形成されていることを特徴とする電飾用光源装置。」（特許請求の範囲）が、第１〜９図とともに記載されている。
　同じく刊行物３（実願昭56-196310号（実開昭58-99709号）のマイクロフィルム）には、「この反射面４の外側に白色塗料やパール顔料等から成る反射膜５を形成することにより、空気中へ進もうとする光を再び導光板１内に引き返す反射光源とした構成の照明装置がある。」（第５頁第10〜14行）ことが、第１〜６図とともに記載されている。
　同じく刊行物４（実願昭61-27098号（実開昭62-139006号公報）のマイクロフィルム）には、「一枚の分厚い透明な板の下面に白色の塗料を塗りつけ、磨き上げた側断面から蛍光灯で照明することにより、透明な板の内部を通過する光で白色塗料を照らして二次的光源とする照明装置。」（実用新案登録請求の範囲）が、第１〜３図とともに記載されている。
　c)対比・判断
　本件請求項１に係る発明と上記刊行物１に記載された発明を対比すると、上記刊行物１に記載された発明は、「直管形蛍光ランプと透明樹脂の導光体を有し、一の面から光を放出させるバックライトを有する液晶表示装置において、上記導光体の上記一の面である上面には拡散板を設置し、前記蛍光ランプが接触もしくは近接して置かれる上記導光体側面部分の導光体の厚みｔと前記蛍光ランプの管径Ｄとの関係が、1.2≦ｔ/Ｄ≦2.0とし」た構成を具備するものの、本件請求項１に係る発明の必須構成である「導光体の側面及び底面に上記蛍光ランプからの光が外面に漏れない処理を施し」た点、「上面から出る光量と上記蛍光ランプから出る光量の比である導光体効率が50％以上となるように」した点、「上記厚みｔは、上記蛍光ランプを覆って設けられたランプ反射板の上記導光体上面および底面とに重ね合わされた両端部により挟まれた上記導光体側面部分の厚みである」点を具備していない。
　本件請求項１に係る発明と刊行物２〜４に記載された発明を対比すると、上記刊行物２〜４に記載された発明には、「ランプと透明樹脂の導光体を有し、一の面から光を放出させるバックライトを有する液晶表示装置において、上記導光体の側面及び底面に上記ランプからの光が外面に漏れない処理を施し」た点が記載されているが、本件請求項１に係る発明の必須構成である「蛍光ランプが接触もしくは近接して置かれる上記導光体側面部分の導光体の厚みｔと前記蛍光ランプの管径Ｄとの関係が、上記上面から出る光量と上記蛍光ランプから出る光量の比である導光体効率が50％以上となるように1.2≦ｔ/Ｄ≦2.0とし、上記厚みｔは、上記蛍光ランプを覆って設けられたランプ反射板の上記導光体上面および底面とに重ね合わされた両端部により挟まれた上記導光体側面部分の厚みである」した点の構成を具備していない。
　そして、本件請求項１に係る発明は、上記構成を具備することにより、「導光体方式のバックライトの使用するランプ外径に対し、最適な導光体厚みを重量も加味した形で提供できる。これにより薄形で効率のよいバックライトとすることができる。」という明細書に記載の効果を奏するものと認められる。
　したがって、本件請求項１に係る発明は、刊行物１〜４に記載された発明に基づいて当業者が容易に発明をすることができたものとは認められない。
　また、本件請求項２、３に係る発明は、本件請求項１に係る発明を引用した発明であるから、なおさら、上記刊行物に記載の発明から容易に想到したものとすることはできない。
　2)特許法第36条に規定する要件について
　当審が訂正拒絶理由で通知した理由２は、請求項４に係る発明は特許法第36条の規定を満足しないというものであったが、補正により訂正請求書の請求項４を削除したので、上記要件を満足しないとすることはできない。
　したがって、本件請求項１〜３に係る発明は、特許出願の際独立して特許を受けることができない発明とすることはできない。
オ.むすび
　以上のとおりであるから、上記訂正は、特許法第120条の４第２項及び同条第３項で準用する同法第126条第２〜４項の規定に適合するので、当該訂正を認める。
〔３〕特許異議の申立てについての判断
ア.申立人長谷川孝子の申立てについて
　1)申立ての理由の概要
　申立人長谷川孝子は、本件請求項１〜４に係る発明は、甲第１号証（特開昭63-208001号公報、上記「刊行物１」と同じ。）、甲第２号証（実開昭62-74282号公報、以下「刊行物５」という。）、甲第３号証（実願昭59-121751号（実開昭61-36911号）のマイクロフィルム、以下「刊行物６」という。）に記載された発明に基づいて当業者が容易に発明をすることができたものであるから、特許法第29条第２項の規定に違反し、または、本件請求項１に係る発明は、記載が不備であるから、特許法第36条第４項及び第５項の規定を満足しないので、本件特許は取り消されるべきである、と主張する。
　2)特許法第29条第２項について
　a)本件請求項１〜３に係る発明は、上記〔２〕エ.1)a)に記載されたとおりである。
　b)刊行物１には、上記〔２〕エ.1)b)に記載されたとおりである。
　刊行物５には、「方形の導光板と、上記導光板の一側端面に対向配置された直管型蛍光ランプよりなる棒状光源とで構成され、導光板の一側端面から導入された棒状光源からの光を表面側に適宜反射する反射面を導光板の裏面側に形成して成る面照明器具において、導光板の棒状光源との対向面に導光板を通る光の棒状光源の長手方向と平行な方向の分光分布が均一になるような凹レンズ機能を有する凹凸面を形成したことを特徴とする面照明器具。」（実用新案登録請求の範囲）が、第１〜８図とともに記載されている。
　刊行物６には、「一側端を円弧状の光導入部とし、かつこの光導入部から他側端に向かって徐々に薄くなるように形成して光導入部より入光した光を表面方向に反射させる平板状のライトガイドと、このライトガイドの光導入部に沿って配置した直管形の蛍光ランプと、この蛍光ランプの前記ライトガイド光導入部側を除いた部分を覆うように配設した反射板とを備えてなることを特徴とする照明装置。」（実用新案登録請求の範囲）が、第１、２図とともに記載されている。
　c)対比・判断
　本件請求項１に係る発明と刊行物１の対比については、上記〔２〕エ.1)c)に記載したとおりである。
　本件請求項１に係る発明と刊行物５、６に記載された発明を対比すると、刊行物５には、「直管形蛍光ランプと透明樹脂の導光体を有し、一の面から光を放出させるバックライトを有する液晶表示装置」が記載され、刊行物６には、「直管形蛍光ランプと透明樹脂の導光体を有し、一の面から光を放出させるバックライトを有する液晶表示装置において、上記厚みｔは、上記蛍光ランプを覆って設けられたランプ反射板の上記導光体上面および底面とに重ね合わされた両端部により挟まれた上記導光体側面部分の厚みである」点が記載されているが、本件請求項１に係る発明の必須構成である「上記導光体の側面及び底面に上記蛍光ランプからの光が外面に漏れない処理を施し、かつ、上記導光体の上記一の面である上面には拡散板を設置し、前記蛍光ランプが接触もしくは近接して置かれる上記導光体側面部分の導光体の厚みｔと前記蛍光ランプの管径Ｄとの関係が、上記上面から出る光量と上記蛍光ランプから出る光量の比である導光体効率が50％以上となるように1.2≦ｔ/Ｄ≦2.0とし」た構成を具備していない。
　そして、本件請求項１に係る発明は、上記構成を具備することにより、「導光体方式のバックライトの使用するランプ外径に対し、最適な導光体厚みを重量も加味した形で提供できる。これにより薄形で効率のよいバックライトとすることができる。」という明細書に記載の効果を奏するものと認められる。
　したがって、本件請求項１に係る発明は、刊行物１、５、６に記載された発明に基づいて当業者が容易に発明をすることができたものとは認められない。
　すなわち、本件請求項１に係る発明は、刊行物１には、上記したように「導光体の側面及び底面に上記蛍光ランプからの光が外面に漏れない処理を施し」た点、「上面から出る光量と上記蛍光ランプから出る光量の比である導光体効率が50％以上となるように」した点、「上記厚みｔは、上記蛍光ランプを覆って設けられたランプ反射板の上記導光体上面および底面とに重ね合わされた両端部により挟まれた上記導光体側面部分の厚みである」点を具備しておらず、他方、刊行物６には、「上記厚みｔは、上記蛍光ランプを覆って設けられたランプ反射板の上記導光体上面および底面とに重ね合わされた両端部により挟まれた上記導光体側面部分の厚みである」点を具備しているが、「上面から出る光量と上記蛍光ランプから出る光量の比である導光体効率が50％以上となるように」の点を具備しておらず、いずれの刊行物にも、導光体効率を示唆する考えがない。
　また、本件請求項２、３に係る発明は、本件請求項１に係る発明を引用した発明であるから、なおさら、上記刊行物に記載の発明から容易に想到できたものとすることはできない。
３）特許法第36条第４項及び第５項について
　申立人は、導光体効率はバックライト構成物の構成（例えば、導光体の構成や拡散板の構成等）によって変わるはずであるが、この点を考慮していないとの指摘であるが、実施例では、「アクリル導光体の３側面及び底面にはアクリルに密着して白色塗装５が施され」（特許公報第４欄第13〜15行）及び「アクリル上面には拡散板４（三菱レーヨン製、アクリライト＃422、透過率73％）を設置する。」（特許公報第17〜18行）ことが記載されており、この条件で実施すれば、「導光体側面部分の導光体の厚みｔと前記蛍光ランプの管径Ｄとの関係が、上記上面から出る光量と上記蛍光ランプから出る光量の比である導光体効率が50％以上となるように1.2≦ｔ/Ｄ≦2.0」とすることができると当業者が推認できるものと認められるから、その他のバックライト構成物の構成が記載されていないからといって、直ちに特許法第36条第４項及び第５項の要件を満たしていないということはできない。
イ.申立人徳間功の申立てについて
　1)申立ての理由の概要
　申立人徳間功は、本件請求項１〜３に係る発明は、甲第１号証（特開昭63-208001号公報、上記「刊行物１」と同じ。）に基づいて当業者が容易に発明をすることができたものであり、また本件請求項４に係る発明は、上記刊行物１及び甲第２号証（特開昭63-33702号公報）に基づいて当業者が容易に発明をすることができたものであるから、特許法第29条第２項の規定に違反し、本件特許は取り消されるべきである、と主張している。
　2)刊行物記載の発明及び対比・判断
　刊行物１に記載された発明は、上記〔２〕エ.1)b)に記載したとおりであり、本件請求項１〜３に係る発明と刊行物１に記載された発明との対比・判断は、上記〔２〕エ.1)c)に記載したとおりである。
　また、本件請求項４に係る発明は、訂正明細書において削除されたから、検討するまでもない。
ウ.申立人斉藤忠の申立てについて
　1)申立ての理由の概要
　申立人斉藤忠は、本件請求項１〜４に係る発明は、甲第１号証（特開昭63-208001号公報、上記「刊行物１」と同じ。）に基づいて当業者が容易に発明をすることができたものであるから、特許法第29条第２項の規定に違反し、または、明細書の記載が不備であるから、特許法第36条第３項及び第４項に規定する要件を満たしていないので、本件特許は取り消されるべきである、と主張する。
　2)特許法第29条第２項について
　刊行物１に記載された発明は、上記〔２〕エ.1)b)に記載したとおりであり、本件請求項１〜３に係る発明と刊行物１に記載された発明との対比・判断は、上記〔２〕エ.1)c)に記載したとおりである。
　3)特許法第36条第３項及び第４項について
　申立人は、
　a)「蛍光ランプの管径Ｄ」は、詳細な説明に記載のない事項である、
　b)第２図と導光体効率を定義する式との関係が不明である、
　c)請求項４に係る「導光体の長辺側」は、不特定である、
　d)本件特許発明の明細書は、当業者が容易に実施できる程度に記載されていない、
　というものである。
　そこで、上記のa)〜d)の点について検討する。
　上記a)において、特許公報第３欄第12〜17行には「本発明においては、導光体側面に設置する蛍光ランプの外形に対し、導光体側面の厚みをランプ外径より大きくする。この時、導光体の厚みを厚くする程導光体効率は上昇するが、厚くなる程導光体重量は重くなるのでこのバランスから導光体厚みは決定しなければならない。」と記載され、特許公報第３欄第30〜35行には、「第２図のように、導光体効率はｔ/Ｄと共に〜ｔ/Ｄ≦2.0が望ましい。」と記載されていることからして、蛍光ランプの管径Ｄは、詳細な説明に記載のない事項とはいえない。
　上記b)において、上記a)の特許公報に記載された事項、導光体効率を定義する式及び第２図を見れば、当業者であれば、関係が不明であるとはいえない。
　上記c)において、請求項４は、訂正明細書において削除されたので、検討するまでもない。
　上記d)において、「本発明においては、導光体側面に設置する蛍光ランプの外形に対し、導光体側面の厚みをランプ外径より大きくする。この時、導光体の厚みを厚くする程導光体効率は上昇するが、厚くなる程導光体重量は重くなるのでこのバランスから導光体厚みは決定しなければならない。」（特許公報第３欄第12〜17行）こと「アクリル導光体の３側面及び底面にはアクリルに密着して白色塗装５が施され」（特許公報第４欄第13〜15行）ること、「アクリル上面には拡散板４（三菱レーヨン製、アクリライト＃422、透過率73％）を設置する。」（特許公報第17〜18行）こと、「第２図のように、導光体効率はｔ/Ｄと共に〜ｔ/Ｄ≦2.0が望ましい。」（特許公報第３欄第30〜35行）こと、及び第１〜３図から見て、当業者ならば、容易に実施できる程度に記載されていないとはいえない。
　以上のとおりであるから、特許異議申立ての理由及び証拠によっては本件請求項１〜３に係る発明についての特許を取り消すことはできない。
　また、他に本件請求項１〜３に係る発明についての特許を取り消すべき理由を発見しない。
　よって、結論のとおり決定する。
【異議決定日】
平成１２年２月２１日（２０００．２．２１）
【訂正の要旨】
　特許権者が求めている訂正の内容は、以下の１）〜３）のとおりである。
　１）特許請求の範囲の請求項１に記載される「直管形蛍光ランプと透明樹脂の導光体を有し、一の面から光を放出させるバックライトを有する液晶表示装置において、前記蛍光ランプが接触もしくは接近して置かれる部分の導光体の厚みｔと前記蛍光ランプの管径Ｄとの関係が、上記面から出る光量と上記蛍光ランプから出る光量の比である導光体効率が５０％以上となるように１．２≦ｔ／Ｄ≦２．０としたことを特徴とする液晶表示装置。」を「直管形蛍光ランプと透明樹脂の導光体を有し、一の面から光を放出させるバックライトを有する液晶表示装置において、上記導光体の側面及び底面に上記蛍光ランプからの光が外面に漏れない処理を施し、かつ、上記導光体の上記一の面である上面には拡散板を設置し、前記蛍光ランプが接触もしくは近接して置かれる上記導光体側面部分の導光体の厚みｔと前記蛍光ランプの管径Ｄとの関係が、上記上面から出る光量と上記蛍光ランプから出る光量の比である導光体効率が５０％以上となるように１．２≦ｔ／Ｄ≦２．０とし、上記厚みｔは、上記蛍光ランプを覆って設けられたランプ反射板の上記導光体上面および底面とに重ね合わされた両端部により挟まれた上記導光体側面部分の厚みであることを特徴とする液晶表示装置。」と訂正する。
　２）特許請求の範囲の請求項４を削除する。
　３）発明の詳細な説明中の［課題を解決するための手段］の「・・・決定しなければならない。」を「・・・決定しなければならない。具体的には、直管形蛍光ランプと透明樹脂の導光体を有し、一の面から光を放出させるバックライトを有する液晶表示装置において、上記導光体の側面及び底面に上記蛍光ランプからの光が外面に漏れない処理を施し、かつ、上記導光体の上記一の面である上面には拡散板を設置し、前記蛍光ランプが接触もしくは近接しておかれる上記導光体側面部分の導光体の厚みｔと前記蛍光ランプの管径Ｄとの関係が、上記上面から出る光量と上記蛍光ランプから出る光量の比である導光体効率が５０％以上となるように１．２≦ｔ／Ｄ≦２．０とし、上記厚みｔは、上記蛍光ランプを覆って設けられたランプ反射板の上記導光体上面および底面とに重ね合わされた両端部により挟まれた上記導光体側面部分の厚みとした。」と訂正する。
（５４）【発明の名称】
バックライト
（５７）【特許請求の範囲】
　　【請求項１】
　直管形蛍光ランプと透明樹脂の導光体を有し、一の面から光を放出させるバックライトを有する液晶表示装置において、
上記導光体の側面及び底面に上記蛍光ランプからの光が外面に漏れない処理を施し、かつ、上記導光体の上記一の面である上面には拡散板を設置し、
上記導光体側面
上面
し、上記厚みｔは、上記蛍光ランプを覆って設けられたランプ反射板の上記導光体上面および底面とに重ね合わされた両端部により挟まれた上記導光体側面部分の厚みであることを特徴とする液晶表示装置。
　【請求項２】
　前記導光体はその断面形状がテーパ状であることを特徴とする請求項１記載の液晶表示装置。
　【請求項３】
　前記導光体に接触または近接させて配置する前記蛍光ランプは１灯であることを特徴とする請求項１または２記載の液晶表示装置。
【発明の詳細な説明】
　〔産業上の利用分野〕
　本発明は液晶のバツクライトのうち時に透明樹脂導光体とその側面に蛍光ランプを置いて平面化光源とするバツクライトの構造に関する。
　〔従来の技術〕
　従来、導光体としてアクリル等の透明樹脂を用いて、白色塗装もしくはサンドペーパー等でランプ光導入部以外を処理して、平面化光源として使用するシステムは提案されており、これに関連するものとして例えば、実開昭６０−１２２０３号等が挙げられる。
　〔発明が解決しようとする課題〕
　上記従来技術は光源の発する光量に対して、どの程度バックライト導光体内に導入し、平面化光源としてどの程度の光を利用しているか、いわゆる導光体効率
については考慮されておらず、導光体効率を最適に使用するという点で問題であつた。
　本発明の目的は、使用するランプの管径に対して、導光体の厚みを規定することで、導光体効率を最適化することにある。
　〔課題を解決するための手段〕
　上記目的を達成するために、本発明においては、導光体側面に設置する蛍光ランプの外径に対し、導光体側面の厚みをランプ外径より大きくする。この時、導光体の厚みを厚くする程導光体効率は上昇するが、厚くなる程導光体重量は重くなるのでこのバランスから導光体厚みは決定しなければならない。
　
具体的には、直管形蛍光ランプと透明樹脂の導光体を有し、一の面から光を放出させるバックライトを有する液晶表示装置において、上記導光体の側面及び底面に上記蛍光ランプからの光が外面に漏れない処理を施し、かつ、上記導光体の上記一の面である上面には拡散板を設置し、前記蛍光ランプが接触もしくは近接して置かれる上記導光体側面部分の導光体の厚みｔと前記蛍光ランプの管径Ｄとの関係が、上記上面から出る光量と上記蛍光ランプから出る光量の比である導光体効率が５０％以上となるように１．２≦ｔ／Ｄ≦２．０とし、上記厚みｔは、上記蛍光ランプを覆って設けられたランプ反射板の上記導光体上面および底面とに重ね合わされた両端部により挟まれた上記導光体側面部分の厚みとした。
　〔作用〕
　導光体厚さを厚くしていくと、ランプより発する光の導入効率がアツプするので導光体効率は当然上昇する。
　しかし、厚みをある程度以上厚くしても、入射する光の入射角が大きくなると導光体内に入射する光より反射する光が増えていく為、導光体効率は変化しなくなり、導光体重量が大きくなるのみでメリツトがなくなる。
　〔実施例〕
　以下、本発明の一実施例により説明する。
　第１図は本発明のバツクライトであり、（ａ）は平面図、（ｂ）は断面図である。直管形蛍光ランプ１はアクリル導光体２の側面にあって、ランプの周囲には反射板３がアクリル２に固定されている。アクリル導光体の３側面及び底面にはアクリルに密着して白色塗装５が施されており、ランプより発せられた光はアクリル内に入り、白色塗装面で反射して、外面が漏れないようにし、アクリル上面には拡散板４（三菱レーヨン製，アクリライトＳ＃４２２，透過率７３％）を設置する。光はアクリル上面から、前記拡散板１４を通して、平面化光源として使用される。この時、第１図において、発光部寸法をＬ×Ｈとし、厚みをｔ、ランプは外径φ８（肉厚０．５ｔ）とすると
となる。第２図は上記の式で示される導光体効率を示したものである。
　第２図のように、導光体効率はｔ／Ｄと共に増加していくが、ｔ／Ｄ＝１．５以上ではほとんど一定となり、２．０以上になるとかえって効率が悪くなる。つまり、導光体として最低必要な効率は５０％と考えられ、従つて、ｔ／Ｄ≧１．２と考えられる。また、上限は導光体の重量の増加効率等から考えてｔ／Ｄ≦２．０が望ましい。
　また、第３図はその他の実施例であり、導光体の断面形状の変形例を表わしたものである。このような導光体の断面形状によつても、上記導光体効率は影響を受けないことが分つている。この時、導光体の厚みｔはランプと近接している側面の厚みで規定される。
　〔発明の効果〕
　本発明によれば、導光体方式のバツクライトの使用するランプ外径に対し、最適な導光体厚みを重量も加味した形で提供できる。これにより薄形で効率のよいバツクライトとすることができる。
【図面の簡単な説明】
　第１図は本発明の一実施例のバツクライトの概略構造を示す平面図および断面図、第２図はランプ管径に対する導光体厚みの変化により導光体効率の関係曲線図、第３図は本発明の他の実施例の導光体形状を示す断面図である。
　１・・・蛍光ランプ、２・・・導光体、３・・・反射板、４・・・拡張板、５・・・白色塗装。